(57)【特許請求の範囲】
【請求項１】
光源と、
前記光源を含んで前方に開口を有する器具本体と、
前記器具本体の前記開口に取り付けられると共に、前記光源に対応して設けられる反射鏡部と、外周縁に沿って設けられる縦壁と、を備える反射板と、
前記反射板の前側に取り付けられ、かつ、取り付けの方向性を持った透光性の光学フィルタと、
前記光学フィルタの前側に取り付けられると共に、透光性のパネル部と、前記パネル部の外周縁において立設される外周壁と、を備える前面パネルと、
前記光学フィルタを前記器具本体に対して所定の方向に位置決めする位置決め手段と、を有し、
前記位置決め手段は、
前記前面パネルの所定箇所に設けられる突起、または前記反射板の所定箇所に設けられる突起と、
前記光学フィルタに設けられる、前記突起に嵌合する係止部と、
を備え、
前記突起は、前記前面パネルの前記外周壁の内側の面から、内側に向けて突出して設けられ、あるいは、前記反射板の前記縦壁の外側において、前記突起の端部が、前記縦壁の前方の端面よりも前方に突出するようにして設けられ、
前記係止部は、前記光学フィルタの外周縁の外側に設けられる照明器具。
【請求項２】
請求項１に記載の照明器具において、
前記突起が、前記光学フィルタの外周に対して不均一に設けられている照明器具。
【請求項３】
請求項１に記載の照明器具において、
前記突起を複数設けるとともに、各突起を異なる形状とした照明器具。
【発明の詳細な説明】
【技術分野】
【０００１】
本発明は、例えばＬＥＤを光源として天井施工面に埋設されて使用される照明器具に関する。
【背景技術】
【０００２】
従来より，ＬＥＤを光源として用い、天井面に埋設されて使用される照明器具が知られている（例えば、特許文献１参照）。
【０００３】
図７に示すように、特許文献１に記載の照明器具１００は、天井に設けられた取付け孔に挿入させることで、設置されるダウンライトである。この照明器具１００は、略円筒形状であって下方に開口（開口部１０６）を有する器具本体１０２を有し、内部に光源としてＬＥＤ１０１を複数個実装した実装基板１０７を収容する。器具本体１０２の上部には、ＬＥＤ１０１に電力を供給する電源装置１０３を有する。電源装置１０３は、アーム部１０４を介して器具本体外周の外側領域に位置するように設けられている。そして、複数の放熱フィン１０５を器具本体１０２の上面に設け、この放熱フィン１０５から略水平にアーム部１０４を結合させて、電源装置１０３を器具本体外周の外側領域に突出するように設けている。
この照明装置１００は、天井面に埋設され、器具本体１０２の開口部１０６を天井面から露出するとともに、電源装置１０３等を天井面の裏側に収容する。
【先行技術文献】
【特許文献】
【０００４】
【特許文献１】特開２００８−１５９４５５号公報（図１）
【発明の概要】
【発明が解決しようとする課題】
【０００５】
ところで、前述したような照明器具（ダウンライト）１００においては、実装基板１０７の前方に、ＬＥＤ１０１の光を所定の方向へ反射する反射板や、前面を保護するための透光性の前面パネルを設けるのが一般的である。さらに、ダウンライトの照明光の色を変化させたり照射範囲を変化させたりするために、光学フィルタを設けることが従来より行われている。
しかしながら、このような従来の照明器具では、光学フィルタが方向性を有する場合に、所望の方向にセットするのが困難であるという問題がある。また、取り付け後に光学フィルタが回転して、所望の照明が得られない場合もある。
【０００６】
本発明は、従来の問題を解決するためになされたもので、方向性を有する光学フィルタを器具本体に対して所定の方向に位置決めできる照明器具を提供することを目的とする。
【課題を解決するための手段】
【０００７】
本発明の照明器具は、光源と、光源を含んで前方に開口を有する器具本体と、器具本体の開口に取り付けられると共に、光源に対応して設けられる反射鏡部と、外周縁に沿って設けられる縦壁と、を備える反射板と、反射板の前側に取り付けられ、かつ、取り付けの方向性を持った透光性の光学フィルタと、光学フィルタの前側に取り付けられると共に、透光性のパネル部と、パネル部の外周縁において立設される外周壁と、を備える前面パネルと、光学フィルタを前記器具本体に対して所定の方向に位置決めする位置決め手段と、を有し、位置決め手段は、前面パネルの所定箇所に設けられる突起、または反射板の所定箇所に設けられる突起と、光学フィルタに設けられる、突起に嵌合する係止部と、を備え、突起は、前面パネルの外周壁の内側の面から、内側に向けて突出して設けられ、あるいは、反射板の縦壁の外側において、突起の端部が、縦壁の前方の端面よりも前方に突出するようにして設けられ、係止部は、光学フィルタの外周縁の外側に設けられるものである。
【００１０】
また、本発明の照明器具は、突起が、光学フィルタの外周に対して不均一に設けられているものである。
【００１１】
さらに、本発明の照明器具は、突起を複数設けるとともに、各突起を異なる形状としたものである。
【発明の効果】
【００１２】
本発明は、光学フィルタを器具本体に対して所定の方向に位置決めする位置決め手段を設けたので、方向性を有する光学フィルタを所定の向きに取り付けることができるとともに、取り付けた後も、光学フィルタが回転等して方向性がずれるのを防止できるという効果を有する照明器具を提供できる。
【図面の簡単な説明】
【００１３】
【図１】（Ａ）は本発明に係る第１実施形態の照明器具を示す上方から見た平面図，（Ｂ）は（Ａ）中Ｂ方向から見た側面図
【図２】（Ａ）は図１（Ａ）中ＩＩ−ＩＩ位置の断面図，（Ｂ）は（Ａ）中Ｂ部の拡大図
【図３】（Ａ）は本発明にかかる第１実施形態の光学フィルタと前面パネルを示す分解斜視図、（Ｂ）は光学フィルタを前面パネルに取り付けた状態の斜視図
【図４】（Ａ）は本発明にかかる第２実施形態の光学フィルタと反射板を示す分解斜視図、（Ｂ）は光学フィルタを反射板に取り付けた状態の斜視図
【図５】（Ａ）は本発明にかかる第３実施形態の光学フィルタと反射板を示す平面図、（Ｂ）は光学フィルタを反射板に取り付けた状態の平面図
【図６】（Ａ）は本発明にかかる第４実施形態の光学フィルタと反射板を示す平面図、（Ｂ）は光学フィルタを反射板に取り付けた状態の平面図
【図７】従来のダウンライトの斜視図
【発明を実施するための形態】
【００１４】
（第１実施形態）
以下、本発明の第１実施形態の照明器具について、図面を用いて説明する。
図１および図２に示すように、本発明に係る実施形態の照明器具１０は、天井面１１に設けられた取付穴に埋設して下方を照明するダウンライトとして用いることができる。照明器具１０は、器具本体２０と、器具本体２０に収容された光源であるＬＥＤ発光部３０と、枠体４０と、点灯電源装置６０を有する。
【００１５】
器具本体２０は、絶縁性を有する硬質な樹脂材料を用いて天板２１と周板２２とを有する円筒形状に形成されており、前方（ここでは、下方）に開口している。天板２１の上面には、上方に向けて突出形成されている複数の放熱フィン２３と、ＬＥＤ発光部３０に点灯のための電力を供給する点灯電源装置６０が取り付けられている。点灯電源装置６０は、器具本体２０の天板２１から外側に大きく張り出して設けられており、端部に取り付けられた電源端子台６１を通じて外部の商用電源に電気的に接続されている。
【００１６】
枠体４０は、器具本体２０の外径寸法と同一の外径寸法を有する円筒形状に形成されており、器具本体２０の下側に一体的に組み付けられている。枠体４０の内面４１は、例えば楕円や放物面状の曲面に形成されており、ＬＥＤ発光部３０からの光を所定の方向および範囲に反射する。枠体４０の下端面には、取り付け状態で天井面１１の下面に露出する円環状の鍔部４３が一体的に設けられている。また、枠体４０の外周部４２には、複数（ここでは、例えば３個）の取付バネ４４が取り付けられている。
【００１７】
従って、照明器具１０を天井面１１の取付穴に取り付ける際には、取付バネ４４を器具本体２０の上方（図１（Ｂ）中矢印Ａ方向）へ弾性変形させて取付穴に挿入する。その後、手を放して取付バネ４４が水平方向（図１（Ｂ）中矢印Ｂ方向）へ開くことにより、取付バネ４４の下面と鍔部４３の上面との間に天井面１１を挟んで、照明器具１０を天井面１１に固定する。
【００１８】
図２に示すように、ＬＥＤ発光部３０は、光源であるＬＥＤ３１と、ＬＥＤ３１が実装されるＬＥＤ実装基板３２を有する。ＬＥＤ実装基板３２は、熱伝導シート３３を介して器具本体２０の下面２４に接触する。ＬＥＤ実装基板３２の下側には反射板３４が設けられている。反射板３４は、ＬＥＤ３１の前方に位置する反射鏡部３４２をＬＥＤ３１の個数（図４参照、ここでは、例えば４個）に対応して設けられており、ＬＥＤ３１の光を下方へ反射する。また、反射板３４の下側には、光学フィルタ５０および透光性の前面パネル３５が設けられる。前面パネル３５の外周縁下面は、パッキン３６を介して枠体４０に支持されている。
従って、前面パネル３５、光学フィルタ５０、反射板３４、ＬＥＤ実装基板３２および熱伝導シート３３は、パッキン３６の弾性力を介して、器具本体２０と枠体４０との間に保持される。
【００１９】
図３に示すように、光学フィルタ５０は、透光性の円板形状をしており、外周縁から外側へ位置決め手段である係止部５１が設けられている。ここでは、３カ所に係止部５１を設けたが、個数は任意である。
前面パネル３５は、光を透過する円板形状のパネル部３５１と、パネル部３５１の外周縁に沿って立設された外周壁３５２を有する。外周壁３５２の内面３５３には、内側に突出する位置決め手段である突起３５４が設けられている。突起３５４は光学フィルタ５０の係止部５１に嵌合して所定の方向へ位置決めするものであり、光学フィルタ５０の係止部５１の位置に対応して、ここでは３カ所に設けられている。光学フィルタ５０は、前面パネル３５の外周壁３５２の内側に収容されるため、外周壁３５２の内径は、光学フィルタ５０の外径に係止部５１の突出長を加えたものより大きめに形成されている。
【００２０】
以上、説明した本発明に係る第１実施形態の照明器具１０によれば、ＬＥＤ３１を内包する器具本体２０の前面開口に取り付けられる反射板３４と前面パネル３５との間に取り付ける光学フィルタ５０を、器具本体２０に対して取り付け方向を決定する位置決め手段を設けたので、方向性を有する光学フィルタ５０を所定の向きに取り付けることができる。また、取り付けた後も、光学フィルタ５０が回転等して方向性がずれるのを防止できる。
【００２１】
また、位置決め手段として前面パネル３５に設けた突起３５４が、位置決め手段として光学フィルタ５０に設けた係止部５１に嵌合するように光学フィルタ５０を取り付けることにより、方向性を有する光学フィルタ５０を所定の方向に取り付けることができる。また、取り付けた後も、光学フィルタ５０が回転等して方向性がずれるのを防止できる。
【００２２】
（第２実施形態）
次に、本発明の第２実施形態の照明器具について、図面を用いて説明する。なお、前述した第１実施形態にかかる照明器具と共通する部位には同じ符号を付して、重複する説明を省略することとする。
【００２３】
図４に示すように、第２実施形態の照明器具では、位置決め手段が、反射板３４Ｂに設けた突起３４１と、光学フィルタ５０に設けた係止部５１である。
反射板３４Ｂの下面（図４（Ａ）において上面）外周縁には、リング状の縦壁３４３が設けられている。縦壁３４３の外径は、略光学フィルタ５０の外径と等しい大きさとなっており、縦壁３４３の下端面が光学フィルタ５０の上面に接触して光学フィルタ５０を支持する。このとき、光学フィルタ５０の係止部５１は、反射板３４Ｂの縦壁３４３から外側へ突出する。
【００２４】
反射板３４Ｂの縦壁３４３の外側には、光学フィルタ５０の係止部５１に係止される突起３４１が、縦壁３４３の下端面から下方（図４において上方）に突出して設けられている。
従って、縦壁３４３の下端面に接触した光学フィルタ５０の係止部５１を、縦壁３４３の外側において下方に突出する突起３４１に嵌合させて、光学フィルタ５０を所定の方向へ位置決めする。
【００２５】
以上、説明した本発明に係る第２実施形態の照明器具によれば、反射板３４Ｂに設けた突起３４１を光学フィルタ５０に設けた係止部５１に嵌合させるように光学フィルタ５０を取り付けることにより、方向性を有する光学フィルタ５０を所定の方向に取り付けることができる。また、取り付けた後も、光学フィルタ５０が回転等して方向性がずれるのを防止できる。
【００２６】
（第３実施形態）
次に、本発明の第３実施形態の照明器具について、図面を用いて説明する。なお、前述した第１実施形態および第２実施形態にかかる照明器具と共通する部位には同じ符号を付して、重複する説明を省略することとする。
【００２７】
図５に示すように、第３実施形態の照明器具では、位置決め手段が、反射板３４Ｃに設けた突起３４１または前面パネル３５に設けた突起３５４と、光学フィルタ５０Ｃに設けた係止部５１である。なお、反射板３４Ｃに突起３４１を設ける場合も、前面パネル３５に突起３５４を設ける場合も同様に考えられるので、以下においては、反射板３４Ｃに突起３４１を設ける場合について説明する。
【００２８】
光学フィルタ５０Ｃに設けた係止部５１は、光学フィルタ５０Ｃの中心ＣＰに対して、異なる中心角θで配置されている。例えば、３個の係止部５１Ａ、５１Ｂ、５１Ｃを、θ＝１４０°、１２０°、１００°の中心間隔で配置した。また、反射板３４Ｃでは、光学フィルタ５０Ｃの３個の係止部５１Ａ、５１Ｂ、５１Ｃに対応して、３個の突起３４１Ａ，３４１Ｂ，３４１Ｃを配置した。
これにより、光学フィルタ５０Ｃは、光学フィルタ５０Ｃの係止部５１Ａ、５１Ｂ、５１Ｃが、反射板３４Ｃの突起３４１Ａ，３４１Ｂ，３４１Ｃにそれぞれ嵌合する場合のみ取り付け可能となる。
【００２９】
以上、説明した本発明に係る第３実施形態の照明器具によれば、反射板３４Ｃの突起３４１Ａ，３４１Ｂ，３４１Ｃおよび光学フィルタ５０Ｃの係止部５１Ａ、５１Ｂ、５１Ｃを、光学フィルタ５０Ｃの外周に対して不均一の間隔で配置した。このため、光学フィルタ５０Ｃを取り付ける際に、光学フィルタ５０Ｃの係止部５１Ａ、５１Ｂ、５１Ｃが、反射板３４Ｃの突起３４１Ａ，３４１Ｂ，３４１Ｃにそれぞれ嵌合する場合のみ取り付け可能となるので、光学フィルタ５０Ｃを所定の方向にのみ取り付けることができる。また、取り付けた後も、光学フィルタ５０Ｃが回転等して方向性がずれるのを防止できる。
【００３０】
（第４実施形態）
次に、本発明の第４実施形態の照明器具について、図面を用いて説明する。なお、前述した第１実施形態乃至第３実施形態にかかる照明器具と共通する部位には同じ符号を付して、重複する説明を省略することとする。
【００３１】
図６に示すように、第４実施形態の照明器具では、位置決め手段が、反射板３４Ｄに設けた突起３４１または前面パネル３５に設けた突起３５４と、光学フィルタ５０Ｄに設けた係止部５１である。なお、反射板３４Ｄに突起３４１を設ける場合も、前面パネル３５に突起３５４を設ける場合も同様に考えられるので、以下においては、反射板３４Ｄに突起３４１を設ける場合について説明する。
【００３２】
光学フィルタ５０Ｄに設けた３個の係止部５１Ａ、５１Ｂ、５１Ｃは、それぞれ形状が異なる。すなわち、係止部５１Ａは２個の突部５１１で構成され、係止部５１Ｂおよび係止部５１Ｃは、３個の突部５１２で構成されている。
一方、反射板３４Ｄに設けた突起３４１Ａ，３４１Ｂ，３４１Ｃは光学フィルタ５０Ｄの係止部５１Ａ、５１Ｂ、５１Ｃに対応して、それぞれ形状が異なる。すなわち、突起３４１Ａは係止部５１Ａの２個の突部５１１で形成される１個の凹部に係止されるように１個の突部で構成されている。また、突起３４１Ｂおよび突起３４１Ｃは、それぞれ係止部５１Ｂ、５１Ｃの３個の突部５１２で形成される２個の凹部に係止されるように、２個の突部で構成されている。
【００３３】
なお、係止部５１Ｂおよび係止部５１Ｃの形状も異なるように構成して、３個の係止部５１Ａ、５１Ｂ、５１Ｃの構成を全て異なるように変えることができる。
また、図６においては、光学フィルタ５０Ｄに設けた係止部５１および反射板３４Ｄに設けた突起３４１を、光学フィルタ５０Ｄの外周に対して均一の間隔で設けた場合を示したが、前述した第３実施形態で説明したように、異なる間隔で設けることもできる。
【００３４】
以上、説明した本発明に係る第４実施形態の照明器具によれば、反射板３４Ｄに設けた３個の突起３４１Ａ，３４１Ｂ，３４１Ｃを異なる形状とするとともに、光学フィルタ５０Ｄに設けた３個の係止部５１Ａ、５１Ｂ、５１Ｃの形状も突起３４１に対応して異なる形状とした。このため、光学フィルタ５０Ｄの係止部５１Ａ、５１Ｂ、５１Ｃが、反射板３４Ｄの突起３４１Ａ，３４１Ｂ，３４１Ｃにそれぞれ嵌合する場合のみ取り付け可能となるので、光学フィルタ５０Ｄの取り付けに方向性を持たせることができる。また、取り付けた後も、光学フィルタ５０Ｄが回転等して方向性がずれるのを防止できる。
【００３５】
なお、本発明の照明器具は、前述した各実施形態に限定されるものでなく、適宜な変形，改良等が可能である。
例えば、前述した各実施形態においては、光学フィルタ５０（５０Ｃ、５０Ｄも含む。以後、省略）に設ける係止部５１を、光学フィルタ５０の外周面から外側に突出して設けたが、光学フィルタ５０の外径を反射板３４の突起３４１および前面パネル３５の突起３５４に届く大きさとするとともに、係止部５１を単に突起３４１，３５４が嵌合する凹部とすることも可能である。
【符号の説明】
【００３６】
１０  照明器具
２０  器具本体
３１  ＬＥＤ（光源）
３４，３４Ｃ，３４Ｄ  反射板
３４１、３４１Ａ、３４１Ｂ、３４１Ｃ  突起（位置決め手段）
３５  前面パネル
３５４  突起（位置決め手段）
５０、５０Ｃ、５０Ｄ  光学フィルタ
５１、５１Ａ、５１Ｂ、５１Ｃ  係止部（位置決め手段）
【図１】
0005557315.tif 000002
【図２】
0005557315.tif 000003
【図３】
0005557315.tif 000004
【図４】
0005557315.tif 000005
【図５】
0005557315.tif 000006
【図６】
0005557315.tif 000007
【図７】
0005557315.tif 000008